(57)【要約】【課題】  縁石設置工事における労力負担の減少、作業性の向上及び、反射鏡、ポール、フェンス支柱等を同時に設置して、施工期間の短縮を計り、さらに、ポール等での道路幅の減少を防ぎ、縁石の美観、また、設置位置の認識を容易にできる縁石型枠とその施工方法の提供。【解決手段】  本型枠は、合成樹脂等からなり、基礎コンクリート打ちと同時に縁石施工作業でき、さらに反射鏡、ポール、支柱の設置も注入孔から同時に設置し、基礎コンクリート硬化後注入孔からコンクリートを充填し型枠は残置する、ポール等の設置位置は注入孔を併用することで縁石上部中央に設置でき道路幅の減少を防ぎ、かつ、施工期間の短縮にもつながる、さらに、型枠の着色は自由であり鮮明な色を用いれば、車道、歩道の分離位置が容易に確認できる特徴のある縁石型枠。【選択図】「図１２」
2005030191.tif 000002
【特許請求の範囲】
【請求項１】
表面を縁石ブロック状に形成した直方体の長手側前面及び上面、後面からなる断面が逆Ｕ字型の合成樹脂等からなる型枠の上部にコンクリート注入用兼支柱設置及び／または反射板設置用の孔を設けた型枠。
【請求項２】
請求項１に記載の型枠の両側面中央下部に高さ約３分の２程度の箇所に水通し用のかまぼこ形の部品の切込みを設け、同切込み部をトンネル状に塞ぐかまぼこ形の部品を下部から嵌め込むように配置した形枠。
【請求項３】
請求項１及び２に記載の型枠の開放側の片側を閉鎖した末端用の型枠。
【請求項４】
請求項１、２及び３に記載の型枠の開放側を連結する内側に密接する逆Ｕ字型の結合部品。
【請求項５】
縁石設置現場の所定位置に基礎コンクリート又は捨てコンクリート打ち施行と同時作業して、請求項１、２及び３に記載の型枠の一部又はすべてを請求項４に記述の結合型枠を用いて一体化された連結型枠を設置し、基礎コンクリート硬化後、必要に応じて、反射鏡、ポール、標識、フェンス等を設置して上部注入孔からコンクリートを充填し型枠とコンクリートを一体化し、残置することを特徴とする縁石用コンクリートー体化型枠とその施工方法。
【発明の詳細な説明】
【技術分野】
【０００１】  本発明は、縁石ブロック施工方法とこの工法に用いる型枠に係り、より詳細には、縁石施工時に、反射鏡、ポール、フェンス等が縁石と一体化とし、更に施工期間短縮を図りその作業性の向上を得る、縁石の簡便な施工方法及びそれに使用する型枠に関する。
【背景技術】
【０００２】  従来、縁石ブロックは事前に工場で製作されたものを用いるため、かなりの重量があるので、施工時は複数の人員が必要であり熟練性を必要とする。更に反射鏡、ポール、フェンス等の設置は縁石設置終了後の作業となるため、工期がかかる欠点があった。また、これらの設置は歩道側に設置していたため、歩道の有効幅を減少させていた。更に、縁石ブロックの色はほとんど原色のままであるので潤いに欠けるとともに、駐車禁止表示のように着色が必要な場合は塗装して対応したため、耐久性に乏しく、定期的な補修を余儀なくされていた。これらを改良するために例えばコンクリートブロックに反射材を貼付する等の工夫はあるものの、重いコンクリートブロックを取り扱う点は克服されていない。型枠をプラスチック製としてブロック積み工法に使用する試みもあるが、付帯工事を含め、縁石工事を一人で施工できるように、簡易化された方法は見受けられない。
【特許文献１】特開２００１−３５５２０５号
【特許文献２】特許第２５６２９８８号
【発明の開示】
【発明が解決しようとする課題】
【０００３】  従来の縁石ブロックは、事前に工場で製作された単なるコンクリート製であって、重いため搬送、設置に重機を必要としたり、人手がかかったりする欠点を有していた。また、反射鏡、ポール、フェンス等の設置は縁石の設置工事後にその近傍に孔をあけ、設置していたため、工期がかかった。ポール等は歩道側に設置するために歩道の有効幅が減少するなどの欠点も有している。【０００４】  縁石の色についてもコンクリートに塗装したものは剥落しやすく、定期的に点検し、補修する必要があった。本発明の縁石ブロックと施工方法は、これらの作業を並行作業とし、施工期間の短縮を図り、作業性を向上させ得ると共に、縁石ブロック表面の色について恒久的に変わらず、雨天等でも、視認性の高い縁石ブロックとその施工方法を提供することを目的とするものである。
【課題を解決するための手段】
【０００５】  これらの課題を解決するために、重量のあるコンクリートブロックを並べ、固定する方法を改め、施工現場に合成樹脂等からなる縁石ブロック状に成形した上部にコンクリート注入孔を有する型枠を連結用型枠にて一体化して配設し、コンクリートを注入して固定し、型枠は残置することによって色調に優れた景観を得るものである。【０００６】  基本になる型枠は、直方体の長手側面及び上面後面からなる断面が逆Ｕ字形の型枠上部に、コンクリート注入孔兼支柱設置及び／または反射鏡設置用の孔を設けた構造からなる。【０００７】  前記の型枠に、更に、両側面中央下部の高さ約３分の２程度の箇所に、水通し用のかまぼこ形等の切り込みを設け同切り込み部をトンネル状に塞ぐかまぼこ形の部品を下部から嵌め込む、水通し用の型枠。【０００８】  また、基本の型枠の開放側の一方を閉鎖した、末端用の型枠。【０００９】  及び、これらの型枠の開放側の内側内に密接する逆Ｕ字形の結合部品を差し込むことにより一体化させ、上部注入孔から、コンクリートを流し込み得る構成とした。【００１０】  なお、これら型枠の幅、高さ、長さは施工箇所のニーズに応じて変更可能であるし、連結部および連結部材の形状を含め、型枠下部の開き防止のための部材等を付け加えることができる。【００１１】  型枠の色は目的とする箇所に要求される色をプラスチック原料時点で着色することによって、永久に剥落することのない構造とする。【００１２】  連結された型枠の上部孔の一部を使って、ポール類を設置することにより、より強固に敷設することが可能である。【００１３】  連結された型枠は長さ方向には連通しているので、特に、強度を必要とする箇所には、鉄筋を配設して強度の向上を図ることが可能である。【００１４】  これらの型枠類を使用した具体的な縁石の設置工事方法としては、縁石設置現場の所定位置に、基礎コンクリートまたは、捨てコンクリートを打ち、続いてコンクリートが硬化しないうちに型枠を連結した状態に設置する。【００１５】  また、型枠設置の際、型枠下部を基礎コンクリートに約１０ｍｍ程度埋め込むようにし、位置修正を行うこともできる。【００１６】  また、型枠設置の際、必要に応じて、型枠下部に開き止めの成形部材を置くことも良い。さらに、型枠下部の側面に垂木等を添えて位置決めまたは型枠の開き止めとすることもできる。この際、型枠や垂木を杭で押さえたり、杭の打てない場合は広がり止めの拘束材で押さえても良い。【００１７】  基礎コンクリート硬化後、上部注入孔からコンクリートを充填し型枠とコンクリートを一体化する。型枠は残置することによって、型枠の色を活かした景観に優れた縁石となる。【００１８】  型枠の色を選択することによって、例えば駐車禁止等の色を縁石の必要箇所に配置すれば、永久に剥落することのない表示とすることができる。さらに、【００１９】  必要に応じて反射鏡、ポール、標識、フェンス等を上部注入孔を利用して設置し、注入孔からコンクリートを充填し型枠とコンクリートを一体化し残置することによって、縁石と一体化された強固でかつ、場所を取らないで追加部材を設置できる。【００２０】  ここで、この縁石型枠を製造する段階において、型枠表面を加色しても良���し、成形後にシールや反射材を貼付して置くようにしても良い。【００２１】  また、コンクリートの注入孔の付近のコンクリートを充填しない、又は除去してできた空洞に土等を入れてプランターとし、花、芝生等を植えることもできる。
【発明の効果】
【００２２】  以上、説明したように、本発明によれば、縁石型枠は合成樹脂等からなるので、軽量で作業性に優れ、しかも、使用後に除去する必要がない。施工に関しては、基礎コンクリート打ちに続き、硬化しないうちに縁石の設置及び位置修正が行われるので、短時間で容易に行え熟練した専門家でなくとも設置できる。重機等を必要としないので、１人でも縁石設置が行え、工事の安全性も保たれ、さらに工期の短縮を計れる優れた効果を有する。【００２３】  しかも、縁石型枠の１コンクリート注入孔及び支柱設置孔を利用しポール、反射鏡、支柱を縁石施工と同時に行え１にこれらポール等を立設することで立設位置は縁石中央部となり、道路幅を有効に使用できポール等を歩道側に設置することもなく、道路幅を有効に使用でき、歩行者の安全にも効果を有する。【００２４】  また、本発明の型枠は、プラスチック原料時点で着色することで剥落することなく、さらに縁石設置場所に応じた色の変化をもたせ、例えば追い越し禁止場所は黄色、公園等は緑色、街区は落ち着いたレンガ色等とする。なお、鮮明な白色は車道、歩道の分離位置が容易に確認でき、視認性の悪い雨天等でも縁石の設置位置が容易に確認でき、事故防止の効果も有する。
【発明を実施するための最良の形態】
【００２５】  以下、本発明の実施の形態について、図面を参照しつつ説明する。実施の形態の概要は、合成樹脂等からなり、コンクリート注入孔、水通し孔を有し、長手方向に連結部を持った型枠を設置現場で組み立てて一体の型枠とし、これに、コンクリートを充填して、表面を合成樹脂製の縁石とするものである。【００２６】まず、縁石設置箇所に基礎コンクリートを打ち、コンクリートが硬化しないうちに型枠を組合せ所定場所に直ちに設置する。型枠の組合せとしては、末端用型枠図２、基本型枠図１、必要によっては水通し用型枠を連結部２を通して連結部品図４を用いて長手方向に連結する。【００２７】そして、前記の型枠の組合せの底部を約１０ｍｍ程度コンクリートに埋め込むようにし、位置修正を行う。更に、ポール、支柱が必要であればこれらも同時に設置する。【００２８】また、水通し孔を要する箇所は、水通し用型枠図３の中央部の水通し孔切込み部３に水通し孔部品図５を型枠底部から嵌め込みこれを水通し用型枠として使用する。また、強度が必要な場所は図３の水通し孔上部に沿って鉄筋を配す。【００２９】また、基礎コンクリート硬化後の縁石設置作業となる場合は型枠下部にモルタルを敷き、位置修正し、型枠を固定する方法、垂木や束縛材で型枠を固定する方法もある。【００３０】ポールを深く埋め込む場合は１注入孔の中心の位置を想定し先に設置した方が良い。【００３１】コンクリート充填工程は基礎コンクリートが硬化し、縁石型枠が固定された後、注入孔１からコンクリートを充填する。【００３２】充填後、コンクリートの硬化状態に合わせ１注入孔のコンクリート表面を鏝で仕上げる。【００３３】なお、必要に応じて、反射材等を注入孔のコンクリートが硬化する前に設置しても良い。あるいは、注入孔付近のコンクリートを除去すればその空間に土を入れ植物の育生場を作る等の応用ができる。【００３４】また、図１０、図１１のような目地兼曲がり部品を使用することで、多々の角度の対応も容易であり図９のつば付き型枠使用で長さ調整も容易である。
【実施例】
【００３５】  本発明の縁石型枠を用いて団地内の道路に長さ１０ｍの縁石を試験施工した。この縁石の両端にはポールを配設した。この作業は、基礎コンクリート打ちからスタートして、１人で４時間作業した。翌日、基礎コンクリートの硬化を確認した後、３時間作業し、終了した。更に翌々日、充填したコンクリートが硬化して型枠、ポールとも一体化し、使用に耐えることを確認した。
本型枠は軽量で作業性が良く位置修正も短時間で容易に行えるので、熟練した專門家でなくとも施工できることが確認できた。また、型枠の連結部２は、コンクリートによって各型枠が一体化し型枠全体の強度も認められ、さらに、ポールもコンクリート、型枠と一体化となりポールの設置強度も増すことを確認した、また、ポールの設置位置は注入孔１に立設することにより縁石中央位置に設置でき道路幅を有効に使え、さらに、本発明の合成樹脂製型枠は残置することにより、その表面の着色は自由であり必要に応じ色の変化をもたせることが可能であることを確認した。
【比較例】
【００３６】  従来のコンクリート製縁石ブロックを用い同じ道路の片側に同じく長さ１０ｍを施工した。コンクリート縁石は、重量が４０ｋｇあり、１人での施工は困難であったので、２人で縁石の施工を行なわざるを得なかった。この作業において、基礎コンクリート打ちからスタートして、目地処理を含めた作業時間は８時間を費やした。ポールの立設は翌日、縁石が固まったのを確認してから、１人で縁石に接近した歩道側に孔を掘って行ない、４時間を費やした。更に翌々日、目地のモルタル硬化し、ポール周りのコンクリートが硬化して、使用に耐えることを確認した。
また、施工に関して縁石設置や位置修正は容易でなく、熟練性の必要を感じ、また、かなりの重労働であった、なお、本発明の縁石とコンクリート縁石を比較してみると、視認性、美観において大きな差が認められた。
【００３７】  以上、本発明は上述した実施例に限定されるものでなく、本発明の要旨を逸脱しない範囲において変形実施できるものも含め、さらに縁石型枠の形状としては、本型枠形状に限られることなく、種々の形状、態様にて実施することができる。
【産業上の利用可能性】  本発明の方法によれば、道路側や車道と歩道の分離用縁石を少ない人員で短期間に設置できる。更に、本発明の縁石は環境目的にあった色が半永久的に褪色することがなく、しかも、施工時に反射鏡、ポール、フェンス等が縁石と一体化できるので、強固かつ省スペースである。また、縁石上部の孔を凹ませることによって植物を植えるように環境に優しい応用も可能である。
【図面の簡単な説明】
【００３８】
【図１】  本発明に係る基本となる型枠の斜視図である。
【図２】  本発明に係る片側閉鎖末端用型枠の斜視図である。
【図３】  本発明に係る水通し孔付き型枠の斜視図である。
【図４】  本発明に係る開放側を連結する目地兼結合部品である。
【図５】  本発明に係る水通し用型枠に用いる水通し孔部品である。
【図６】  本発明に係る型枠図１〜図３の底部の開き防止に用いる開き防止部品である。
【図７】  本発明に係る水通し用型枠を組み立てた場合の平面図である。
【図８】  本発明に係る図７のコンクリートを充填した後のＡ−Ａ断面図である。
【図９】  本発明に係るつば付き型枠の水通し孔付き型枠の断面図である。
【図１０】  本発明に係る目地兼曲がり部品（横方向）である。
【図１１】  本発明に係る目地兼曲がり部品（上下方向）である。
【図１２】  本発明に係る図１、図３、図２を図４の連結部品で連結した型枠の組立概念図である。
【符号の説明】
【００３９】１  コンクリート注入孔兼ポール、支柱の設置孔
２  結合部
３  水通し孔切込み部
４  末端用の閉鎖部
５  結合部品の固定部
６  水通し孔の嵌め込み部
７  充填されたコンクリート
８  基礎コンクリート
９  型枠のつば部
１０  つば付き型枠の結合部
１１  図１の基本型枠
１２  図３の水通し孔付き型枠
１３  図２の片側閉鎖末端用型枠
１４  図４の目地兼結合部品
【図１】
2005030191.tif 000003
【図２】
2005030191.tif 000004
【図３】
2005030191.tif 000005
【図４】
2005030191.tif 000006
【図５】
2005030191.tif 000007
【図６】
2005030191.tif 000008
【図７】
2005030191.tif 000009
【図８】
2005030191.tif 000010
【図９】
2005030191.tif 000011
【図１０】
2005030191.tif 000012
【図１１】
2005030191.tif 000013
【図１２】
2005030191.tif 000014